(57)【要約】【課題】  本発明は、騒音レベルに応じてユーザの好みに合わせた音量レベルに自動的に調整できるようにする。【解決手段】  本発明は、周囲の騒音レベルＮを検出する騒音レベル検出回路２０と、スピーカ１８から出力すべき音量レベルＶの上記騒音レベルＮに応じた音量補正値Ｒを音量補正テーブルとして記憶している不揮発性メモリ１２と、騒音レベル検出回路２０で検出した騒音レベルＮに対応する音量補正値Ｒを読み出し、音量補正値Ｒに基づいてスピーカ１８の初期音量レベルを補正した後、ユーザの音量レベル変更操作によって当該補正後の補正音量レベルが変更された場合、上記騒音レベルＮに対応した音量補正値Ｒを当該変更後の変更音量レベルに合わせて新たな音量補正値Ｒに書換え、ＲＡＭ１１に記憶するＣＰＵ１０とを設けるようにした。【選択図】        図６
2005223445.tif 000002
【特許請求の範囲】
【請求項１】
周囲の騒音レベルを検出する騒音レベル検出手段と、
音声出力手段から出力すべき音量レベルの上記騒音レベルに応じた補正値を補正値群として記憶している補正値記憶手段と、
上記騒音レベル検出手段で検出した上記騒音レベルに対応する上記補正値を読み出し、当該補正値に基づいて上記音声出力手段の初期音量レベルを補正する初期音量レベル補正手段と、
上記初期音量レベル補正手段によって上記初期音量レベルを補正した後、ユーザの音量レベル変更操作によって当該補正後の補正音量レベルが変更された場合、上記騒音レベルに対応した補正値を当該変更後の変更音量レベルに合わせて新たな補正値に書換え、一時記憶領域に記憶する補正値書換手段と
を具えることを特徴とする音量調整装置。
【請求項２】
上記補正値書換手段は、
上記新たな補正値を上記一時記憶領域に記憶させた後、当該新たな補正値で上記補正値記憶手段に記憶している上記補正値を更新する
ことを特徴とする請求項１に記載の音量調整装置。
【請求項３】
上記補正値記憶手段は、上記初期音量レベル毎にそれぞれ複数の上記補正値群を記憶し、
上記初期音量レベル補正手段は、上記音声出力手段の初期音量レベルを検出し、当該検出した初期音量レベルに対応する補正値群を読み出し、当該補正値群に基づいて上記初期音量レベルを補正する
ことを特徴とする請求項１に記載の音量調整装置。
【請求項４】
周囲の騒音レベルを検出する騒音レベル検出ステップと、
上記騒音レベル検出ステップで検出した上記騒音レベルに対応する、音声出力手段から出力すべき音量レベル補正値を読み出し、当該補正値に基づいて当該音声出力手段の初期音量レベルを補正する初期音量レベル補正ステップと、
上記初期音量レベル補正ステップによって上記初期音量レベルを補正した後、ユーザの音量レベル変更操作によって当該補正後の補正音量レベルが変更された場合、上記騒音レベルに対応した補正値を当該変更後の変更音量レベルに合わせて新たな補正値に書換え、一時記憶領域に記憶する補正値書換ステップと
を具えることを特徴とする音量調整方法。
【請求項５】
情報処理装置に、
周囲の騒音レベルを検出する騒音レベル検出ステップと、
上記騒音レベル検出ステップで検出した上記騒音レベルに対応する、音声出力手段から出力すべき音量レベル補正値を読み出し、当該補正値に基づいて当該音声出力手段の初期音量レベルを補正する初期音量レベル補正ステップと、
上記初期音量レベル補正ステップによって上記初期音量レベルを補正した後、ユーザの音量レベル変更操作によって当該補正後の補正音量レベルが変更された場合、上記騒音レベルに対応した補正値を当該変更後の変更音量レベルに合わせて新たな補正値に書換え、一時記憶領域に記憶する補正値書換ステップと
を実行させることを特徴とする音量調整プログラム。
【発明の詳細な説明】
【技術分野】
【０００１】
本発明は音量調整装置に関し、例えばカーオーディオ装置に搭載される音量調整装置に適用して好適なものである。
【背景技術】
【０００２】
従来、カーオーディオ装置においては、ラジオの受信やＣＤ（Compact Disc）の再生等による音声信号を、内蔵するアンプによって指定された音量レベルまで増幅し、スピーカから音声として出力するようになされている。
【０００３】
ところで自動車の車内空間においては、一般道路走行時と高速道路走行時とにおけるエンジン音量の違いや周囲の交通量の変化等に応じて、騒音レベルが様々に変化する。
【０００４】
このときカーオーディオ装置は、騒音に埋もれることなく当該ユーザにラジオやＣＤの音声を聴取させるためには、騒音レベルが変化する度にユーザに音量レベルを調整させる必要があり、当該ユーザに煩雑な操作を強いることになってしまう。
【０００５】
そこでカーオーディオ装置の中には、マイク等を用いて騒音レベルを検出し、当該騒音レベルに応じて音量レベルを自動的に調整するようになされたものが提案されている（例えば、特許文献１参照）。
【特許文献１】特開平５−３０５８８号公報（第３頁、第１図）
【発明の開示】
【発明が解決しようとする課題】
【０００６】
しかし、かかる構成のカーオーディオ装置は、検出した騒音レベルに応じて音量レベルを自動的に調整したとしても、当該騒音レベルに対して予め決められた音量レベルに調整するため、当該調整した音量レベルが必ずしもユーザの好みに合致するとは限らない。
【０００７】
このためカーオーディオ装置は、自動的に調整した音量レベルがユーザの好みに合致しなかった場合、音量レベルを再調整する手間を当該ユーザにかけさせてしまうという問題があった。
【０００８】
本発明は以上の点を考慮してなされたもので、騒音レベルに応じてユーザの好みに合わせた音量レベルに自動的に補正し得る音量調整装置を提案しようとするものである。
【課題を解決するための手段】
【０００９】
かかる課題を解決するため本発明の音量調整装置においては、周囲の騒音レベルを検出する騒音レベル検出手段と、音声出力手段から出力すべき音量レベルの騒音レベルに応じた補正値を補正値群として記憶している補正値記憶手段と、騒音レベル検出手段で検出した騒音レベルに対応する補正値を読み出し、当該補正値に基づいて音声出力手段の初期音量レベルを補正する初期音量レベル補正手段と、初期音量レベル補正手段によって初期音量レベルを補正した後、ユーザの音量レベル変更操作によって当該補正後の補正音量レベルが変更された場合、騒音レベルに対応した補正値を当該変更後の変更音量レベルに合わせて新たな補正値に書換え、一時記憶領域に記憶する補正値書換手段とを設けるようにした。
【００１０】
これにより、ユーザによって変更された変更音量レベルに応じて補正値を自動的に書換えることができるので、次に初期音量レベルを補正する際に、当該書換えた新たな補正値を用いて当該ユーザの好みに合う新たな補正音量レベルに補正することができる。
【００１１】
また本発明の音量調整方法においては、周囲の騒音レベルを検出する騒音レベル検出ステップと、騒音レベル検出ステップで検出した上記騒音レベルに対応する、音声出力手段から出力すべき音量レベル補正値を読み出し、当該補正値に基づいて当該音声出力手段の初期音量レベルを補正する初期音量レベル補正ステップと、初期音量レベル補正ステップによって初期音量レベルを補正した後、ユーザの音量レベル変更操作によって当該補正後の補正音量レベルが変更された場合、騒音レベルに対応した補正値を当該変更後の変更音量レベルに合わせて新たな補正値に書換え、一時記憶領域に記憶する補正値書換ステップとを設けるようにした。
【００１２】
これにより、ユーザによって変更された変更音量レベルに応じて補正値を自動的に書換えることができるので、次に初期音量レベルを補正する際に、当該書換えた新たな補正値を用いて当該ユーザの好みに合う新たな補正音量レベルに補正することができる。
【００１３】
さらに本発明の音量調整プログラムにおいては、周囲の騒音レベルを検出する騒音レベル検出ステップと、騒音レベル検出ステップで検出した上記騒音レベルに対応する、音声出力手段から出力すべき音量レベル補正値を読み出し、当該補正値に基づいて当該音声出力手段の初期音量レベルを補正する初期音量レベル補正ステップと、初期音量レベル補正ステップによって初期音量レベルを補正した後、ユーザの音量レベル変更操作によって当該補正後の補正音量レベルが変更された場合、騒音レベルに対応した補正値を当該変更後の変更音量レベルに合わせて新たな補正値に書換え、一時記憶領域に記憶する補正値書換ステップとを設けるようにした。
【００１４】
これにより、ユーザによって変更された変更音量レベルに応じて補正値を自動的に書換えることができるので、次に初期音量レベルを補正する際に、当該書換えた新たな補正値を用いて当該ユーザの好みに合う新たな補正音量レベルに補正することができる。
【発明の効果】
【００１５】
本発明によれば、ユーザによって変更された変更音量レベルに応じて補正値を自動的に書換えることができるので、次に初期音量レベルを補正する際に、当該書換えた新たな補正値を用いて当該ユーザの好みに合う新たな補正音量レベルに補正することができ、かくして騒音レベルに応じてユーザの好みに合わせた音量レベルに自動的に調整し得る音量調整装置を実現できる。
【発明を実施するための最良の形態】
【００１６】
以下、図面について、本発明の一実施の形態を詳述する。
【００１７】
（１）カーオーディオ装置の構成
図１において、１は全体として本発明の一実施の形態によるカーオーディオ装置の構成を示しており、自動車内の運転席や助手席に座るユーザからの命令に基づいてラジオ放送の受信やＣＤ（Compact Disc）の再生を行い、その音声信号を当該ユーザが所望する音量に増幅し、ラジオ放送やＣＤの音声（以下、これをオーディオ音声と呼ぶ）を当該ユーザに聴取させるようになされている。
【００１８】
カーオーディオ装置１は、ＣＰＵ（Central Processing Unit）１０によって当該カーオーディオ装置１を統括制御するようになされており、図示しないＲＯＭ（Read Only Memory）から読み出したＯＳ（Operational System）等の基本プログラムや音量調整プログラム等の各種アプリケーションプログラムをＲＡＭ１１に展開して実行し、各種処理を行うようになされている。
【００１９】
このカーオーディオ装置１は、図示しないＣＤ再生部からの音声信号Ｓ１を、入力端子１４を介してプリアンプ１５へ入力する。
【００２０】
ちなみにカーオーディオ装置１は、音声信号Ｓ１以外にも、図示しないラジオ受信部からの音声信号等をプリアンプ１５へ入力するようにしても良い。
【００２１】
プリアンプ１５は、入力された音声信号Ｓ１に対して、ラジオやＣＤといった音源毎に異なる音量レベルを調整する等して音声信号Ｓ２を生成し、これを電子ボリューム１６へ送出する。
【００２２】
電子ボリューム１６は、ＣＰＵ１０からの音量レベル指示命令Ｇに基づいて設定を変更することにより、プリアンプ１５から供給された音声信号Ｓ２を音声信号Ｓ３に変換し、これをパワーアンプ１７及び騒音レベル検出回路２０へ送出する。
【００２３】
パワーアンプ１７は、電子ボリューム１６から送出された音声信号Ｓ３を所定の増幅率で増幅することによって音声信号Ｓ４を生成し、これをスピーカ１８へ送出することによってオーディオ音声を当該スピーカ１８から出力させる。
【００２４】
また操作部１３は、音量を変更するための音量アップボタン１３Ａ又は音量ダウンボタン１３Ｂがユーザによって押下されると、これに応じて音量の大きさを表す音量レベルＶをインタフェース（Ｉ／Ｆ）１３Ｃを介してＣＰＵ１０へ送出する。
【００２５】
このときＣＰＵ１０は、音量レベルＶに対応した音量レベル指示命令Ｇを電子ボリューム１６へ送出することによって、当該電子ボリューム１６に当該音量レベルＶに応じた大きさの音声信号Ｓ３を生成させ、その結果、当該音量レベルＶに応じた音量のオーディオ音声をスピーカ１８から出力させる。
【００２６】
このようにカーオーディオ装置１は、音声信号Ｓ１を音量レベルＶに応じた音量に増幅してオーディオ音声をユーザに聴取させるようになされている。
【００２７】
かかる構成に加えてカーオーディオ装置１は、車内空間における騒音レベルＮに応じた最適なオーディオ音声を出力するために音量調整部２によって音量を調整するようになされており、車内空間における騒音レベルＮを検出するべく、カーオーディオ装置１本体に内蔵するマイク１９を介して集音した車内空間における音声信号Ｓ５を、当該音量調整部２の騒音レベル検出回路２０へ入力する。
【００２８】
ここでマイク１９は、車内空間の音声を全て集音するため、本来集音すべき騒音に加えて、スピーカ１８から出力された、騒音として集音すべきでないオーディオ音声も集音してしまう。
【００２９】
そこで騒音レベル検出回路２０は、集音した全ての音声及び騒音に相当する音声信号Ｓ５からオーディオ音声に相当する音声信号Ｓ３を差し引くことによって本来集音すべき騒音の騒音レベルＮだけを検出し、当該騒音レベルＮをＣＰＵ１０へ送出するようになされている。
【００３０】
そして音量調整部２のＣＰＵ１０は、次に述べるように、騒音レベルＮに応じて音量レベルＶを補正するようになされている。
【００３１】
（２）音量レベルの補正
ところでカーオーディオ装置１の音量調整部２は、当該カーオーディオ装置１の電源が投入されたときの音量レベルＶを初期音量レベルとして認識した後、騒音レベルＮに応じた補正値（以下これを音量補正値Ｒと呼ぶ）を用いて当該初期音量レベルを補正音量レベルに補正し、これにより騒音に埋もれることなくオーディオ音声をユーザに聴取させるようになされている。
【００３２】
この音量調整部２は、騒音レベル検出回路２０で検出した騒音レベルＮに対する音量補正値Ｒを、初期音量レベルに応じた４種類の音量補正テーブルＴ（Ｔ１〜Ｔ４）として不揮発性メモリ１２に記憶するようになされており、各音量補正テーブルＴ１〜Ｔ４を図式化すると、図２に示す音量補正カーブとして表すことができる。
【００３３】
実際上、音量調整部２は、カーオーディオ装置１の電源投入時に初期音量レベル（音量レベルＶ１、Ｖ２、Ｖ３及びＶ４）を認識し、当該初期音量レベルに基づいて音量補正テーブルＴを選択すると共に、選択された音量補正テーブルＴを不揮発性メモリ１２から読み出してＲＡＭ１１に記憶させる。
【００３４】
そして音量調整部２は、騒音レベル検出回路２０で騒音レベルＮを検出し、当該騒音レベルＮに応じた音量補正値Ｒを用いて、当該初期音量レベルを補正音量レベルに補正するようになされている。
【００３５】
ここで音量調整部２は、図２に示したように、騒音レベルＮが騒音レベルＮ１よりも小さい場合には初期音量レベルを補正しないが、騒音レベルＮが騒音レベルＮ１から騒音レベルＮ５までの間となる場合には、各音量補正カーブが重なっていることにより、初期音量レベルに関わらず騒音レベルＮに対して同一の音量補正値Ｒを用いて初期音量レベルを補正音量レベルに補正する。
【００３６】
また音量調整部２は、騒音レベルＮが騒音レベルＮ５よりも大きくなる場合には、各音量補正カーブがそれぞれ異なっていることにより、騒音レベルＮが同一であっても、初期音量レベルに応じて異なる音量補正値Ｒを用いて当該初期音量レベルを補正音量レベルに補正する。
【００３７】
このように音量調整部２は、同一の騒音レベルＮであっても、初期音量レベルに応じて異なった音量補正値Ｒを用いることができるので、当該初期音量レベルに応じた適切な補正音量レベルに補正することができる。
【００３８】
ここで、実際に音量調整部２が初期音量レベルを補正音量レベルに補正する際の、騒音レベルＮと音量レベルＶとの関係は、図３に示すように、初期音量レベルに応じて異なる騒音−音量特性曲線Ｑ（Ｑ１〜Ｑ４）のように表すことができる。なお、この騒音−音量特性曲線Ｑ１〜Ｑ４は、それぞれ音量補正テーブルＴ１〜Ｔ４（図２）と対応している。
【００３９】
すなわち音量調整部２は、例えば初期音量レベルが音量レベルＶ１のように比較的小さい場合、騒音−音量特性曲線Ｑ１のように、騒音レベルＮの増加に比例して一様に補正音量レベルの音量レベルＶを増加させており、これにより騒音に埋もれることなくオーディオ音声をユーザに聴取させ得るようになされている。
【００４０】
また音量調整部２は、例えば初期音量レベルが音量レベルＶ４のように比較的大きい場合、騒音−音量特性曲線Ｑ４のように、ある程度の大きさの騒音レベルＮ５までは騒音レベルＮの大きさに応じて一様に補正音量レベルの音量レベルＶを増加させるものの、騒音レベルＮが当該騒音レベルＮ５より大きくなった際に、騒音レベルＮに対して補正音量レベルの音量レベルＶを増加させる割合を低減させる（すなわち傾きを緩やかにする）ようになされている。
【００４１】
このとき音量調整部２は、初期音量レベル（音量レベルＶ４）が比較的大きいため、騒音レベルＮが騒音レベルＮ５より大きくなった際に、音量レベルＶを最大値である最大音量レベルＶｍａｘより大きくすることはできないものの、当該騒音レベルＮに対して補正音量レベルの音量レベルＶをあまり増加させなくても、周囲の騒音に対して十分大きな音量でオーディオ音声をユーザに聴取させることができる。
【００４２】
このように音量調整部２は、初期音量レベルに基づいた音量補正テーブルＴを選択し、当該音量補正テーブルＴを基に、騒音レベルＮの大きさに応じた音量補正値Ｒを用いて初期音量レベルを補正音量レベルに補正するようになされている。
【００４３】
なお音量調整部２は、上述した音量レベルＶの補正を随時行うようになされており、このため随時変化する騒音レベルＮに対して、常に最適な音量補正値Ｒを用いて初期音量レベルを補正音量レベルに補正できるようになされている。
【００４４】
これによりカーオーディオ装置１は、常にその時の騒音の大きさに応じた音量に補正することができるので、ユーザに直接音量を調整する手間をかけさせずに、随時変化する騒音に埋もれさせることなく当該ユーザにオーディオ音声を聴取させることができる。
【００４５】
（３）音量補正テーブルの書換え
ところで音量調整部２は、初期音量レベルを補正音量レベルに補正したにもかかわらず、ユーザによる音量アップボタン１３Ａ又は音量ダウンボタン１３Ｂの押下操作によって音量レベルＶが変更されると、これに応じてＲＡＭ１１の音量補正テーブルＴを書換え、その後はこの書換えられた新たな音量補正テーブルＴを用いて初期音量レベルを補正するようになされている。
【００４６】
音量調整部２のＣＰＵ１０は、電源が投入された時点の初期音量レベルが例えば音量レベルＶ３であった場合、これに応じた音量補正テーブルＴ３を選択し（図２）、当該選択した音量補正テーブルＴ３を不揮発性メモリ１２から読み出してＲＡＭ１１に記憶させる。
【００４７】
そしてＣＰＵ１０は、例えば騒音レベル検出回路２０から騒音レベルＮ５を取得すると、当該騒音レベルＮ５に応じた音量補正値Ｒ５（図２）を求め、初期音量レベルである音量レベルＶ３を当該音量補正値Ｒ５分増加させ、補正音量レベルである音量レベルＶ５（図３）に補正する。
【００４８】
しかし、この騒音レベルＮ５に対する補正音量レベル（音量レベルＶ５）は、ユーザの好みとは無関係に予め設定されたものであるため、当該補正音量レベルは必ずしもユーザの好みに合致しない可能性がある。
【００４９】
ここでカーオーディオ装置１は、例えば図４に示すように、ユーザの音量ダウンボタン１３Ｂの押下操作によって補正音量レベル（音量レベルＶ５）から差分ΔＶだけ小さい変更音量レベル（音量レベルＶ５Ａ）に変更される場合がある。
【００５０】
このことは、騒音レベルＮ５に対してユーザが好む補正音量レベルが、音量レベルＶ５ではなく音量レベルＶ５Ａであったことを意味している。
【００５１】
このときＣＰＵ１０は、ユーザによって音量レベルＶ５から音量レベルＶ５Ａに変更されたことにより、騒音レベルＮ５の時には初期音量レベル（音量レベルＶ３）を更新音量レベル（音量レベルＶ５Ａ）に補正するべきであり、すなわち騒音−音量特性曲線Ｑ３が、図４の２次元座標平面上の点Ｐ１（騒音レベルＮ１、音量レベルＶ３）及び点Ｐ５Ａ（騒音レベルＮ５、音量レベルＶ５Ａ）を通る仮想直線（波線で示す）のようになるべきであると判断する。
【００５２】
そこでＣＰＵ１０は、図５に音量補正カーブを示すように、騒音レベルＮ５のときの音量補正値Ｒが、音量補正値Ｒ５より差分ΔＶだけ小さい音量補正値Ｒ５Ａとなるようにするべく、ＲＡＭ１１に記憶した音量補正テーブルＴ３を、音量補正テーブルＴ３Ａに書換える。
【００５３】
これによりＣＰＵ１０は、次に騒音レベルＮ５を検出したときに、ユーザに何も操作させることなく、初期音量レベル（音量レベルＶ３）を新たな補正音量レベル（音量レベルＶ５Ａ）に補正することができ、当該ユーザの好みに合わせることができる。
【００５４】
なおＣＰＵ１０は、ＲＡＭ１１に記憶した音量補正テーブルＴを書換える際に、不揮発性メモリ１２に記憶している音量補正テーブルＴを更新しないため、カーオーディオ装置１の電源が投入される度に当該音量補正テーブルＴを読み直すことができ、例えば自動車の運転者が交代した場合に、以前の運転者の好みの影響を受けることなく、ＲＡＭ１１に記憶した音量補正テーブルＴを書換えることで現在の運転者の好みに合わせることができる。
【００５５】
（４）音量調整処理手順
次に、上述した初期音量レベルを補正音量レベルに補正した後に音量補正テーブルＴを書換えるときの一連の処理を、図６に示すフローチャートを用いて詳細に説明する。音量調整部２のＣＰＵ１０は、カーオーディオ装置１の電源が投入されると、音量調整処理手順ＲＴ１の開始ステップから入ってステップＳＰ１へ移る。
【００５６】
ステップＳＰ１においてＣＰＵ１０は、例えばカーオーディオ装置１の電源が投入された時点の音量レベルＶ３を初期音量レベルとして認識し、次のステップＳＰ２へ移る。
【００５７】
ステップＳＰ２においてＣＰＵ１０は、初期音量レベルである音量レベルＶ３に基づいて音量補正テーブルＴ３を選択してＲＡＭ１１に記憶させ、次のステップＳＰ３へ移る。
【００５８】
ステップＳＰ３においてＣＰＵ１０は、この時点で騒音レベル検出回路２０によって騒音を検出しているか否かを判定する。ここで否定結果が得られると、このことは騒音を検出していないために初期音量レベルを補正する必要がないことを表しており、このときＣＰＵ１０は、騒音を検出するまでこのステップＳＰ３を繰り返して待機する。
【００５９】
一方ステップＳＰ３において肯定結果が得られると、このことは騒音を検出しているために、騒音レベルＮに応じて初期音量レベルを補正音量レベルに補正する必要があることを表しており、このときＣＰＵ１０は次のステップＳＰ４へ移る。
【００６０】
ステップＳＰ４においてＣＰＵ１０は、騒音レベル検出回路２０からこの時点の騒音レベルＮ５を取得し、次のステップＳＰ５へ移る。
【００６１】
ステップＳＰ５においてＣＰＵ１０は、ＲＡＭ１１に記憶した音量補正テーブルＴ３を用いて、この時点の騒音レベルＮ５に対応する音量補正値Ｒ５を取得し、次のステップＳＰ６へ移る。
【００６２】
ステップＳＰ６においてＣＰＵ１０は、音量補正値Ｒ５を用いて、初期音量レベルである音量レベルＶ３から補正音量レベル（音量レベルＶ５）に補正し、次のステップＳＰ７へ移る。
【００６３】
ステップＳＰ７においてＣＰＵ１０は、初期音量レベルを補正音量レベル（音量レベルＶ５）に補正した後にユーザの操作によって当該補正音量レベルが変更音量レベルに変更されたか否かを判定する。
【００６４】
ここで否定結果が得られると、このことはユーザによって補正音量レベル（音量レベルＶ５）が変更されなかったため、当該ユーザがこの時点の騒音レベルＮ５に対して当該補正音量レベル（音量レベルＶ５）のままでよいと考えていることを表しており、このときＣＰＵ１０は、ＲＡＭ１１に記憶した音量補正テーブルＴ３をそのままにし、再びステップＳＰ３へ戻って一連の処理を繰り返す。
【００６５】
一方ステップＳＰ７において肯定結果が得られると、このことはユーザの操作によって補正音量レベル（音量レベルＶ５）から変更音量レベル（音量レベルＶ５Ａ）に変更されたため、当該ユーザがこの時点の騒音レベルＮ５に対して補正音量レベル（音量レベルＶ５）ではなく変更音量レベル（音量レベルＶ５Ａ）が適していると考えていることを表しており、このときＣＰＵ１０は、音量補正テーブルＴ３を書換えるために次のステップＳＰ８へ移る。
【００６６】
ステップＳＰ８においてＣＰＵ１０は、変更音量レベル（音量レベルＶ５Ａ）に基づいて、ＲＡＭ１１に記憶した音量補正テーブルＴ３を音量補正テーブルＴ３Ａ（図５）に書換えた後、再度ステップＳＰ３へ戻って一連の処理を繰り返す。
【００６７】
この後ＣＰＵ１０は、カーオーディオ装置１の電源が切断されるまでステップＳＰ３〜ステップＳＰ８の処理を繰り返し、当該カーオーディオ装置１の電源が切断された時点でこの音量調整処理手順ＲＴ１を終了する。
【００６８】
（５）動作及び効果
以上の構成において、音量調整部２は、カーオーディオ装置１の電源が投入された時点の初期音量レベルに基づいて音量補正テーブルＴを選択し、不揮発性メモリ１２から読み出した当該音量補正テーブルＴをＲＡＭ１１に記憶させた後、騒音を検出した場合に、当該音量補正テーブルＴを用いてこのときの騒音レベルＮに応じた音量補正値Ｒ（図２）を取得し、当該音量補正値Ｒを用いて当該初期音量レベルを補正音量レベルに補正する（図３）。
【００６９】
そして音量調整部２は、ユーザの操作によって補正音量レベルが変更音量レベルに変更された場合（図４）、このときの騒音レベルＮに対して変更音量レベルに補正するように、ＲＡＭ１１に記憶した音量補正テーブルＴを書換える（図５）。
【００７０】
従って音量調整部２は、騒音レベルＮを検出した際に変更音量レベルを基に音量補正テーブルＴを書換えることにより、次に同一の騒音レベルＮを検出した際に、自動的に新たな補正音量レベルに補正することができ、当該ユーザの好みに合致させることができる。
【００７１】
このとき音量調整部２は、音量補正テーブルを書換えることによって、例えば騒音レベルＮ５のときに補正音量レベルから変更音量レベルに変更され、音量補正値Ｒ５を新たな音量補正値Ｒ５Ａに書換えた際に、騒音レベルＮ５に近い騒音レベルＮ６を検出したときの音量補正値Ｒ６も新たな音量補正値Ｒ６Ａに書換えているため（図５）、初めて当該騒音レベルＮ６を検出した場合であっても、新たな音量補正値Ｒ６Ａによって初期音量レベルを新たな補正音量レベルに補正することでユーザの好みに合致させ得る可能性が高い。
【００７２】
また音量調整部２は、ユーザの操作によって補正音量レベルから変更音量レベルに変更されるだけで、当該ユーザの好みに合致するように音量補正テーブルＴを書換えることができるので、当該ユーザに当該音量補正テーブルＴを書換えるための操作をわざわざ行わせる必要がなく、さらに当該ユーザが補正音量レベルから変更音量レベルに変更した直後から、書換えられた新たな音量補正テーブルＴに基づいて補正音量レベルに補正することができ、直ちにユーザの好みに合わせることができる。
【００７３】
さらに音量調整部２は、４つの異なる音量補正テーブルＴの中から初期音量レベルに基づいた音量補正テーブルＴを自動的に選択することにより、ユーザに当該音量補正テーブルＴを選択させるといった煩雑な操作を行わせる必要がない。
【００７４】
そのうえ音量調整部２は、各音量補正テーブルＴをそれぞれユーザの好みに合わせて書換えることができるので、初期音量レベルと騒音レベルＮとに応じて、きめ細かくユーザの好みに合うように初期音量レベルを補正音量レベルに補正することができる。
【００７５】
以上の構成によれば、音量調整部２は、音量補正テーブルを用いて騒音レベルＮに応じて初期音量レベルを補正音量レベルに補正した後、当該補正音量レベルから変更音量レベルに変更された場合、当該変更音量レベルに合わせて当該音量補正テーブルＴを書換えるようにしたことにより、ユーザの好みに合う新たな補正音量レベルに補正することができ、かくして騒音レベルに応じてユーザの好みに合わせた音量レベルに自動的に調整することができる。
【００７６】
（６）他の実施の形態
なお上述の実施の形態においては、ユーザによって手動で音量が調整される度に音量補正テーブルＴを書換えるようにした場合について述べたが、本発明はこれに限らず、例えばカーオーディオ装置１の電源が切断されるまで当該音量補正テーブルＴを書換えず、ユーザによって変更された変更音量レベルを不揮発性メモリ１２に記憶しておき、次回電源が投入された際に、最新の変更音量レベルのみを用いて２次元座標平面上（図４）における仮想直線を算出する等、他のタイミングで音量補正テーブルＴを書換えるようにしても良い。
【００７７】
また上述の実施の形態においては、図４に示した２次元座標平面上で騒音−音量特性Ｑが点Ｐ１及び点Ｐ５Ａを通る仮想直線となるように音量補正テーブルＴを書換えるようにした場合について述べたが、本発明はこれに限らず、例えばユーザによって変更された変更音量レベルの過去３回分の履歴に基づいて、図４に示した２次元座標平面上において最小２乗法を適用して仮想直線を算出する等、他の手法を用いて音量補正テーブルＴを書換えるようにしても良い。
【００７８】
さらに上述の実施の形態においては、図２において音量補正カーブを２本の直線の組み合わせによって構成するようにした場合について述べたが、本発明はこれに限らず、当該音量補正カーブを１本や３本以上の直線で構成したり、また放物線の一部等を用いて構成したり、或いはこれらを適宜組み合わせるようにしても良い。
【００７９】
さらに上述の実施の形態においては、騒音レベルＮと音量補正値Ｒとの関係を補正値群としての音量補正テーブルＴの形で不揮発性メモリ１２に記憶するようにした場合について述べたが、本発明はこれに限らず、例えば２次関数を用いて騒音レベルＮと音量補正値Ｒとの関係を記憶する等しても良い。
【００８０】
この場合、２次関数の各項の係数を不揮発性メモリ１２に記憶しておき、ユーザによって補正音量レベルから変更音量レベルに変更された際に、所定の演算処理に基づいて当該２次関数の各項の係数を書換えればよく、さらには関数自体も当該不揮発性メモリ１２に記憶しておき、当該関数自体を書換えるようにしても良い。
【００８１】
さらに上述の実施の形態においては、ＲＡＭ１１に記憶した音量補正テーブルＴを書換える際に、不揮発性メモリ１２に記憶している音量補正テーブルを更新しないようにした場合について述べたが、本発明はこれに限らず、ＲＡＭ１１に記憶した音量補正テーブルＴを書換える際に、不揮発性メモリ１２に記憶している音量補正テーブルＴも更新するようにしてもよく、この場合カーオーディオ装置１は、電源が切断されてもユーザの好みに合わせた音量補正テーブルＴを記憶しておくことができ、電源が投入されるだけで初期音量レベルを当該ユーザの好みに合わせた補正音量レベルに補正することができる。
【００８２】
さらに上述の実施の形態においては、不揮発性メモリ１２に４種類の異なる音量補正テーブルＴを記憶しておくようにした場合について述べたが、本発明はこれに限らず、任意数の異なる音量補正テーブルＴを記憶しておくようにしても良い。
【００８３】
さらに上述の実施の形態においては、カーオーディオ装置１の電源投入時の初期音量レベルに対して、無条件に補正音量レベルに補正するようにした場合について述べたが、本発明はこれに限らず、例えば操作部１３に「音量補正」ボタンを設けておき、ユーザにより当該「音量補正」ボタンが押下されることによって音量レベルの補正を開始又は終了させ、当該「音量補正」ボタンが押下された時点の音量レベルＶを初期音量レベルとみなすようにしても良い。
【００８４】
この場合カーオーディオ装置１は、ユーザに音量レベルＶを変更した上で「音量補正」ボタンを押下させることで初期音量レベルを任意に指定させ、この初期音量レベルから補正音量レベルに補正することができるので、当該ユーザの好みに一段と良く合致させることができる。
【００８５】
さらに上述の実施の形態においては、マイク１９をカーオーディオ装置１の内部に設けるようにした場合について述べたが、本発明はこれに限らず、当該マイク１９を車内空間のユーザの耳の位置付近等に設置するようにしても良く、これによりカーオーディオ装置１は、実際にユーザの耳で聴取される騒音レベルＮに極めて近い騒音レベルＮを取得することができ、その結果、ユーザの好みに一段と合致した補正音量レベルに補正することができる。
【００８６】
さらに上述の実施の形態においては、本発明をカーオーディオ装置１の音量調整部２に適用するようにした場合について述べたが、本発明はこれに限らず、ヘッドホンステレオや携帯電話機等の屋外で使用可能な電子機器に適用するようにしても良く、この場合、周囲の騒音レベルを検出することによって、例えば屋外で大型車両が通過する際の一時的な大きな騒音に対して、オーディオ音声、通話音声、又は呼び出し音等の音量レベルを自動的に補正することができ、ユーザにわざわざ音量を操作させることなく、騒音に埋もれさせずに音声を聴取させることができる。
【００８７】
また本発明は、テレビジョン受像機や電話機等の屋内用の電子機器に適用するようにしても良く、この場合、室内空間の騒音レベルを検出することによって、例えば掃除機を使用しているときの一時的な大きな騒音に対して、テレビジョン音声や電話の呼び出し音等の音量レベルを自動的に補正することができ、ユーザにわざわざ音量を操作させることなく、騒音に埋もれさせずに音声を聴取させることができる。
【００８８】
さらに上述の実施の形態においては、騒音レベル検出手段としての騒音レベル検出回路２０と、補正値記憶手段としての不揮発性メモリ１２と、初期音量レベル補正手段及び補正値書換手段としてのＣＰＵ１０とによって音量調整装置としての音量調整部２を構成する場合について述べたが、本発明はこれに限らず、その他種々の回路構成でなる騒音レベル検出手段と、補正値記憶手段と、初期音量レベル補正手段と、補正値書換手段とによって音量調整装置を構成するようにしても良い。
【００８９】
さらに上述の実施の形態においては、情報処理装置としての音量調整部２に音量調整プログラムを実行させるようにした場合について述べたが、本発明はこれに限らず、他の種々の情報処理装置に音量調整プログラムを実行させるようにしても良い。
【産業上の利用可能性】
【００９０】
本発明は、例えばヘッドホンステレオや携帯電話機等の種々の電子機器にも利用できる。
【図面の簡単な説明】
【００９１】
【図１】本発明の一実施の形態によるカーオーディオ装置の構成を示す略線的ブロック図である。
【図２】音量補正カーブを示す略線図である。
【図３】騒音−音量特性を示す略線図である。
【図４】騒音−音量特性の更新の説明に供する略線図である。
【図５】音量補正テーブルの書換の説明に供する略線図である。
【図６】音量調整処理手順を示すフローチャートである。
【符号の説明】
【００９２】
１……カーオーディオ装置、２……音量調整部、１０……ＣＰＵ、１１……ＲＡＭ、１２……不揮発性メモリ、２０……騒音レベル検出回路。
【図１】
2005223445.tif 000003
【図２】
2005223445.tif 000004
【図３】
2005223445.tif 000005
【図４】
2005223445.tif 000006
【図５】
2005223445.tif 000007
【図６】
2005223445.tif 000008